(57)【要約】      （修正有）【課題】一旦容器の中に収納した異物が電気掃除機の内部に吸引されることを防止可能な電気掃除機用異物分離器を提供する。【解決手段】電気掃除機用異物分離器は、有底容器３００を取り付け可能な容器取り付け部１１０と、一端において電気掃除機の吸い込み口に連通し、他端において容器取り付け部の開口面の一部と連通している中空の第一パイプ部材１２０と、一端において外気に連通し、他端において容器取り付け部の開口面の領域と連通している中空の第二パイプ部材１３０と、容器取り付け部の開口面に形成され、第一パイプ部材と第二パイプ部材との境界から下方に延び、開口面において第一パイプ部材と第二パイプ部材と相互に遮断するガイド部材１４０と、を備える。【選択図】図６
0003180921.tif 000002
【実用新案登録請求の範囲】
【請求項１】
両端が開口しており、前記両端のうちの一端において、開口部を有する有底容器を着脱自在に取り付けることが可能な容器取り付け部と、
一端において電気掃除機の吸い込み口に連通し、他端において前記容器取り付け部の他端における開口面の一部と連通している中空の第一パイプ部材と、
一端において外気に連通し、他端において前記容器取り付け部の前記開口面の前記一部以外の領域と連通している中空の第二パイプ部材と、
前記容器取り付け部の前記開口面に形成され、前記第一パイプ部材と前記第二パイプ部材との境界から下方に延び、前記開口面において前記第一パイプ部材と前記第二パイプ部材と相互に遮断するガイド部材と、
を備える電気掃除機用異物分離器。
【請求項２】
前記容器取り付け部の前記開口面の前記一部を覆うフィルター部材をさらに備えることを特徴とする請求項１に記載の電気掃除機用異物分離器。
【請求項３】
前記有底容器が外面に雄ネジが形成されている開口部を有する場合には、前記容器取り付け部は前記雄ネジと螺合可能な雌ネジが内壁に形成されていることを特徴とする請求項１または２に記載の電気掃除機用異物分離器。
【請求項４】
前記第一パイプ部材及び前記第二パイプ部材はＪ字型形状をなし、同一鉛直面内に配置されているものであることを特徴とする請求項１乃至３の何れか一項に記載の電気掃除機用異物分離器。
【請求項５】
前記ガイド部材は少なくともその先端が前記第二パイプ部材に向かって湾曲していることを特徴とする請求項１乃至４の何れか一項に記載の電気掃除機用異物分離器。
【請求項６】
前記ガイド部材は前記第一パイプ部材と前記第二パイプ部材との間に着脱自在に配置されていることを特徴とする請求項１乃至４の何れか一項に記載の電気掃除機用異物分離器。
【考案の詳細な説明】
【技術分野】
【０００１】
本考案は、電気掃除機の吸い込み口に連結されている吸引ホースの途中に配置し、吸引ホースが吸い込んだ異物を分離するとともに保持し、異物が電気掃除機内に吸引されることを防止する電気掃除機用異物分離器に関する。
【背景技術】
【０００２】
この種の電気掃除機用異物分離器の一例として実用新案登録第３１４３７７４号の登録実用新案公報に記載されたものがある。
【０００３】
図１３は上記公報に記載された電気掃除機用異物分離器の斜視図である。
【０００４】
図１３に示すように、電気掃除機用異物分離器は、全体がほぼ円筒形状をなしている吸引機本体１と、リング状の吸引力調整部２と、からなる。
【０００５】
図１４は吸引機本体１の縦断面図である。さらに、図１５は電気掃除機用異物分離器を組み立てた状態の斜視図、図１６は電気掃除機用異物分離器の使用状況を示す概略図である。
【０００６】
吸引機本体１は、図１５に示すように、下端に容器接続部１ａと、上端に掃除機接続部１ｂとを備えている。
【０００７】
容器接続部１ａの内面側には、図１４に示すように、雌ネジ１ｅが形成されており、この雌ネジ１ｅに容器５（図１６参照）の注ぎ口が螺合される。掃除機接続部１ｂには掃除機７のホース６（図１６参照）が接続される。
【０００８】
吸引機本体１の容器接続部１ａと掃除機接続部１ｂとの間には吸引力調整孔１ｃが設けられている。吸引力調整部２にも同様の吸引力調整孔２ａが設けられている。吸引力調整部２を吸引機本体１に嵌め込み（図１５に示す状態）、吸引力調整部２を回転させることにより、吸引機本体１の吸引力調整孔１ｃと吸引力調整部２の吸引力調整孔２ａとが重なり合う面積、ひいては、電気掃除機７の吸引力を調整することができる。
【０００９】
図１３乃至図１５に示すように、吸引機本体１には吸引パイプ４が形成されている。吸引パイプ４の一端は吸引機本体１の外側において開口しており、この開口端には、図１５に示すように、吸引ホース３が接続される。吸引パイプ４は吸引機本体１の内部を下方に延びており、他端は吸引機本体１の底部よりも下方において開口している。
【００１０】
以上のような構造を有する電気掃除機用異物分離器は次のように使用される。
【００１１】
先ず、図１６に示すように、吸引パイプ４が内部に収納されるようにして、容器５を容器接続部１ａの内面側の雌ネジ１ｅに螺合させる。
【００１２】
次いで、掃除機７のホース６を掃除機接続部１ｂに接続する。
【００１３】
この後、電気掃除機７を作動させ、次いで、吸引力調整部２を回転させることにより、吸引機本体１の吸引力調整孔１ｃと吸引力調整部２の吸引力調整孔２ａとが重なり合う面積を調整する。
【００１４】
次いで、吸引ホース３を介してゴミが吸引される。吸引されたゴミは吸引ホース３から吸引パイプ４を通過し、容器５の内部に収納される。
【００１５】
容器５の内部に収納されたゴミのうち、比較的軽いものは、容器５の注ぎ口（吸引パイプ４以外の領域）を介して、電気掃除機７の吸引力により吸引される。比較的重いもの（例えば、小石や金属など）は電気掃除機７の吸引力によっても吸引されずに容器５の内部にとどまる。
【００１６】
このように、図１３乃至図１６に示す電気掃除機用異物分離器によれば、吸引されたゴミに含まれる比較的重い異物が電気掃除機７の中に吸引されることを防止することができる。
【考案の開示】
【考案が解決しようとする課題】
【００１７】
しかしながら、上記の電気掃除機用異物分離器には次のような欠点があった。
【００１８】
第一に、吸引ホース３及び吸引パイプ４は比較的細い部材とならざるを得ないので、ゴミを吸引する際に、それらがゴミで詰まりやすい。
【００１９】
第二に、吸引されたゴミに含まれる比較的重いものは容器５の内部にとどまることになってはいるものの、電気掃除機７の吸引力が大きい場合には、電気掃除機７の内部に吸引されることを回避することは不可能であった。
【００２０】
本考案はこのような従来の電気掃除機用異物分離器における問題点に鑑みてなされたものであり、電気掃除機用異物分離器の内部がゴミで詰まること、さらには、一旦容器の中に収納した異物が電気掃除機の内部に吸引されることを防止することを可能にする電気掃除機用異物分離器を提供することを目的とする。
【課題を解決するための手段】
【００２１】
上記の目的を達成するため、本考案は、両端が開口しており、前記両端のうちの一端において、開口部を有する有底容器を着脱自在に取り付けることが可能な容器取り付け部と、一端において電気掃除機の吸い込み口に連通し、他端において前記容器取り付け部の他端における開口面の一部と連通している中空の第一パイプ部材と、一端において外気に連通し、他端において前記容器取り付け部の前記開口面の前記一部以外の領域と連通している中空の第二パイプ部材と、前記容器取り付け部の前記開口面に形成され、前記第一パイプ部材と前記第二パイプ部材との境界から下方に延び、前記開口面において前記第一パイプ部材と前記第二パイプ部材と相互に遮断するガイド部材と、を備える電気掃除機用異物分離器を提供する。
【００２２】
本考案に係る電気掃除機用異物分離器は、前記容器取り付け部の前記開口面の前記一部を覆うフィルター部材をさらに備えることが好ましい。
【００２３】
前記有底容器が外面に雄ネジが形成されている開口部を有する場合には、前記容器取り付け部は前記雄ネジと螺合可能な雌ネジが内壁に形成されていることが好ましい。
【００２４】
前記第一パイプ部材及び前記第二パイプ部材はＪ字型形状をなし、同一鉛直面内に配置されているものであることが好ましい。
【００２５】
前記ガイド部材は少なくともその先端が前記第二パイプ部材に向かって湾曲していることが好ましい。
【００２６】
前記ガイド部材は前記第一パイプ部材と前記第二パイプ部材との間に着脱自在に配置することが可能である。
【考案の効果】
【００２７】
電気掃除機の吸い込み口と第一パイプ部材とをホースで連結した後、電気掃除機を作動させると、第二パイプ部材を介してゴミが有底容器の内部に吸引される。有底容器の内部に収納されたゴミのうち、比較的軽いものは、有底容器の注ぎ口及び容器取り付け部の開口面を介して、電気掃除機の吸引力により、電気掃除機の内部に吸引されるのに対して、比較的重いもの（例えば、小石や金属などの異物）は電気掃除機の吸引力によっても吸引されずに有底容器の内部にとどまる。この場合、従来の電気掃除機用異物分離器においては、電気掃除機の吸引力が大きい場合には、異物が電気掃除機の内部に吸引されることを回避することは不可能であった。
【００２８】
本考案に係る電気掃除機用異物分離器においては、第一パイプ部材と第二パイプ部材とはガイド部材によって相互に遮断された状態にある。このため、ガイド部材は、第二パイプ部材を介して吸引されたゴミや異物は第一パイプ部材から離れる方向に導く機能を有している。このように、ガイド部材は異物を第一パイプ部材から離すことが可能であるため、異物が第一パイプ部材に向かって吸引される確率を低くすることができる。
【００２９】
また、従来の電気掃除機用異物分離器には、吸引ホース３及び吸引パイプ４は細い部材からなるものであるため、ゴミを吸引する際に、吸引ホース３及び吸引パイプ４がゴミで詰まりやすいという欠点があった。
【００３０】
これに対して、本考案に係る電気掃除機用異物分離器においては、第一パイプ部材及び第二パイプ部材として、何れも太いパイプを用いることができるので、ゴミ詰まりをなくすことが可能である。
【００３１】
さらに、本考案に係る電気掃除機用異物分離器は、電気掃除機と連結されている第一パイプ部材と有底容器との間にはフィルター部材を備えることができる。このため、たとえ、異物が電気掃除機に吸引されたとしても、異物はフィルター部材を通過することができず、結局、有底容器の中にとどまったままの状態になる。このように、本考案に係る電気掃除機用異物分離器によれば、従来の電気掃除機用異物分離器によっては不可能であった異物（小石や金属などの比較的重いもの）の電気掃除機内部への吸引を防止することが可能である。
【００３２】
本考案に係る電気掃除機用異物分離器においては、容器取り付け部の内壁には有底容器の外面に形成された雄ネジと螺合可能な雌ネジを形成することが可能である。
【００３３】
このように、容器取り付け部の内壁に雌ネジを形成することにより、有底容器として、市販のペットボトルを使用することが可能になる。このため、不要になったペットボトルのリサイクルを図ることが可能である。さらに、有底容器の中に溜まった異物を捨てる際には、ペットボトルに蓋をして捨てることが可能であるため、ペットボトルの蓋のリサイクルをも同時に行うことができる。
【００３４】
ガイド部材は少なくともその先端が第二パイプ部材に向かって湾曲するように形成することが可能である。このため、ガイド部材は、第二パイプ部材を介して吸引されたゴミや異物を第一パイプ部材からさらに離れる方向に導くことが可能である。
【図面の簡単な説明】
【００３５】
【図１】本考案の第一の実施形態に係る電気掃除機用異物分離器の正面図である。
【図２】本考案の第一の実施形態に係る電気掃除機用異物分離器を上方から見たときの平面図である。
【図３】本考案の第一の実施形態に係る電気掃除機用異物分離器の側面図である。
【図４】本考案の第一の実施形態に係る電気掃除機用異物分離器を下方から見たときの斜視図である。
【図５】有底容器を容器取り付け部に螺合させた状態における本考案の第一の実施形態に係る電気掃除機用異物分離器の縦断面図である。
【図６】本考案の第一の実施形態に係る電気掃除機用異物分離器において、有底容器を容器取り付け部に螺合させた状態における容器取り付け部及び有底容器の内部の破断斜視図である。
【図７】本考案の第二の実施形態に係る電気掃除機用異物分離器を下方から見たときの底面図である。
【図８】本考案の第二の実施形態に係る電気掃除機用異物分離器の縦断面図である。
【図９】本考案の第二の実施形態に係る電気掃除機用異物分離器を下方から見たときの斜視図である。
【図１０】有底容器を容器取り付け部に螺合させた状態における本考案の第二の実施形態に係る電気掃除機用異物分離器の縦断面図である。
【図１１】本考案の第二の実施形態に係る電気掃除機用異物分離器において、有底容器を容器取り付け部に螺合させた場合の容器取り付け部の内部を上方から見た場合の破断斜視図である。
【図１２】本考案の第二の実施形態に係る電気掃除機用異物分離器において、有底容器を容器取り付け部に螺合させた場合の容器取り付け部の内部を下方から見た場合の破断斜視図である。
【図１３】従来の電気掃除機用異物分離器の斜視図である。
【図１４】従来の電気掃除機用異物分離器の構成要素である吸引機本体の縦断面図である。
【図１５】従来の電気掃除機用異物分離器を組み立てた状態の斜視図である。
【図１６】従来の電気掃除機用異物分離器の使用状況を示す概略図である。
【考案を実施するための最良の形態】
【００３６】
（第一の実施形態）
図１は本考案の第一の実施形態に係る電気掃除機用異物分離器１００の正面図、図２は電気掃除機用異物分離器１００を上方から見たときの平面図、図３は電気掃除機用異物分離器１００の側面図、図４は電気掃除機用異物分離器１００を下方から見たときの斜視図である。
【００３７】
本実施形態に係る電気掃除機用異物分離器１００は、上下両端が開口し、円筒形状をなす容器取り付け部１１０（図４及び図６参照）と、中空の第一パイプ部材１２０（図１及び図２参照）と、中空の第二パイプ部材１３０（図１及び図２参照）と、ガイド部材１４０（図４参照）と、から構成されている。
【００３８】
容器取り付け部１１０の内壁には雌ネジが形成されている。この雌ネジには、有底容器（例えば、ペットボトル）の開口部に形成されている雄ネジを螺合させることが可能である。
【００３９】
図５は有底容器３００を容器取り付け部１１０に螺合させた状態における縦断面図であり、図６は有底容器３００を容器取り付け部１１０に螺合させた場合の容器取り付け部１１０及び有底容器３００の内部の破断斜視図である。
【００４０】
なお、必要に応じて、図１乃至図６に示すように、容器取り付け部１１０の周囲にはゴム製のカバー１６０を取り付けることができる。
【００４１】
第一パイプ部材１２０は透明の素材でつくられており、一端において電気掃除機（図１６の電気掃除機７参照）の吸い込み口に連通し、他端において容器取り付け部１１０の上端側の開口面と連通している。すなわち、第一パイプ部材１２０の他端は半円形状をなし、第一パイプ部材１２０は、その他端において、容器取り付け部１１０の円形の開口面の半分の領域と連通するように、容器取り付け部１１０に接続されている。
【００４２】
同様に、第二パイプ部材１３０は透明の素材でつくられており、一端において外気に連通し、他端において容器取り付け部１１０の上側の開口面に連通している。すなわち、第二パイプ部材１３０の他端は半円形状をなし、第二パイプ部材１３０は、その他端において、容器取り付け部１１０の円形の開口面の半分の領域（第一パイプ部材１２０が接続されている半円の領域以外の領域）と連通するように、容器取り付け部１１０に接続されている。
【００４３】
図１に示すように、第一パイプ部材１２０及び第二パイプ部材１３０はほぼＪ字型形状をなしており、さらに、図２に示すように、第一パイプ部材１２０及び第二パイプ部材１３０は同一鉛直面内に配置されている。このため、図２に示すように、第一パイプ部材１２０及び第二パイプ部材１３０を上方から見た場合、一直線状に配列される。
【００４４】
図４乃至図６に示すように、ガイド部材１４０は容器取り付け部１１０の上端側の開口面から容器取り付け部１１０の下端を越えて下方に延びるように形成されている。ガイド部材１４０は第一パイプ部材１２０と第二パイプ部材１３０との境界面において形成されており、容器取り付け部１１０の上端側の開口面においては、第一パイプ部材１２０と第二パイプ部材１３０とを相互に遮断している。
【００４５】
ガイド部材１４０は平板状の部材からなり、その先端（下端）は第二パイプ部材１３０に向かって湾曲している。このため、ガイド部材１４０は全体としてＪ字型形状をなしている。
【００４６】
以上のような構造を有する本実施形態に係る電気掃除機用異物分離器１００は次のように用いられる。
【００４７】
先ず、電気掃除機の吸い込み口と第一パイプ部材１２０とをホースで連結する。
【００４８】
この後、電気掃除機を作動させると、第二パイプ部材１３０を介してゴミが吸引される。吸引されたゴミは第二パイプ部材１３０を通過した後、容器３００の内部に収容される。
【００４９】
容器３００の内部に収納されたゴミのうち、比較的軽いものは、容器３００の注ぎ口及び容器取り付け部１１０の開口面を介して、電気掃除機の吸引力により、電気掃除機の内部に吸引される。
【００５０】
比較的重いもの（例えば、小石や金属などの異物）は電気掃除機の吸引力によっても吸引されずに容器３００の内部にとどまる。
【００５１】
本実施形態に係る電気掃除機用異物分離器１００においては、第一パイプ部材１２０と第二パイプ部材１３０とはガイド部材１４０によって相互に遮断された状態にある。このため、ガイド部材１４０は、第二パイプ部材１３０を介して吸引されたゴミや異物は第一パイプ部材１２０から離れる方向に導く機能を有している。このように、ガイド部材１４０は異物を第一パイプ部材１２０から離すことが可能であるため、異物が第一パイプ部材１２０に向かって吸引される確率を極めて低くすることができる。
【００５２】
このように、本実施形態に係る電気掃除機用異物分離器１００によれば、従来の電気掃除機用異物分離器によっては不可能であった異物（小石や金属などの比較的重いもの）の電気掃除機内部への吸引を防止することが可能である。
【００５３】
また、従来の電気掃除機用異物分離器には、吸引ホース３及び吸引パイプ４は細い部材からなるものであるため、ゴミを吸引する際に、吸引ホース３及び吸引パイプ４がゴミで詰まりやすいという欠点があった。これに対して、本実施形態に係る電気掃除機用異物分離器１００においては、第一パイプ部材１２０及び第二パイプ部材１３０として、何れも太いパイプを用いることができるので、ゴミ詰まりをなくすことが可能である。
【００５４】
さらに、ガイド部材１４０はその先端において第二パイプ部材１３０に向かって湾曲しているため、吸引されたゴミや異物を第一パイプ部材１２０からさらに離れる方向に導く機能を有している。このため、吸引されたゴミや異物を第一パイプ部材１２０から遠方に離すことが可能であるため、異物が第一パイプ部材１２０に向かって吸引される確率をさらに低くすることができる。
【００５５】
また、容器３００としては、市販のペットボトルを使用することができるので、不要になったペットボトルのリサイクルを図ることが可能である。容器３００の中に溜まった異物を捨てる際には、ペットボトルに蓋をして捨てることが可能であるため、ペットボトルの蓋のリサイクルをも同時に行うことができる。
【００５６】
本実施形態に係る電気掃除機用異物分離器１００は上記の構造に限定されるものではなく、種々の改変が可能である。
【００５７】
例えば、ガイド部材１４０の長さは本実施形態における長さには限定されない。任意の長さに設定することが可能であり、例えば、容器３００の底部に近い長さに設定することも可能である。
【００５８】
本実施形態に係る電気掃除機用異物分離器１００においては、第一パイプ部材１２０及び第二パイプ部材１３０は何れもＪ型に形成され、かつ、同一の鉛直面内に配置されているものとして構成されているが、必要に応じて、第一パイプ部材１２０及び第二パイプ部材１３０を他の形状に形成することは可能であり、また、第一パイプ部材１２０及び第二パイプ部材１３０を同一の鉛直面内に配置することも必ずしも必要ではない。
【００５９】
本実施形態に係る電気掃除機用異物分離器１００においては、容器取り付け部１１０に対して容器３００を固定するために、容器取り付け部１１０の内壁には、容器３００の注ぎ口の外壁に形成されている雄ネジと螺合可能な雌ネジが形成されているが、他の手段により、容器３００を容器取り付け部１１０に対して固定することも可能である。
【００６０】
ガイド部材１４０は容器取り付け部１１０の上端側の開口面に容器取り付け部１１０と一体的に形成することが可能であるが、例えば、ガイド部材１４０を第一パイプ部材１２０または第二パイプ部材１３０と一体的に形成することも可能である。あるいは、ガイド部材１４０を第一パイプ部材１２０と第二パイプ部材１３０との間に挟み込むことにより（図５参照）、第一パイプ部材１２０と第二パイプ部材１３０との間に配置することも可能であり、この場合には、ガイド部材１４０は着脱自在に取り付けられることになる。
【００６１】
（第二の実施形態）
図７は本考案の第二の実施形態に係る電気掃除機用異物分離器２００を下方から見たときの底面図、図８は電気掃除機用異物分離器２００の縦断面図、図９は電気掃除機用異物分離器２００を下方から見たときの斜視図である。
【００６２】
また、図１０は有底容器３００を容器取り付け部１１０に螺合させた状態における電気掃除機用異物分離器２００の縦断面図、図１１は有底容器３００を容器取り付け部１１０に螺合させた場合の容器取り付け部１１０の内部を上方から見た場合の破断斜視図、図１２は有底容器３００を容器取り付け部１１０に螺合させた場合の容器取り付け部１１０の内部を下方から見た場合の破断斜視図である。
【００６３】
本実施形態に係る電気掃除機用異物分離器２００は、第一の実施形態に係る電気掃除機用異物分離器１００と比較して、フィルター部材１５０を追加的に備えた点が異なっており、この点を除いて、本実施形態に係る電気掃除機用異物分離器２００は第一の実施形態に係る電気掃除機用異物分離器１００と同一の構造を有している。このため、第一の実施形態に係る電気掃除機用異物分離器１００と同一の構成要素に対しては同一の参照符号を使用する。
【００６４】
フィルター部材１５０は、図７、図９、図１１及び図１２に示すように、上下方向に延びる相互に平行な複数のブロックからなり、隣接するブロックの間には狭いスペースが空いている。
【００６５】
フィルター部材１５０は、電気掃除機と連通している第一パイプ部材１２０がその他端において容器取り付け部１１０の開口面と連通している領域にのみ形成されている。このため、後述するように、容器３００の内部に収容された異物が電気掃除機の内部に吸引されることを防止することができる。
【００６６】
なお、図１１及び１２に示すように、ガイド部材１４０とフィルター部材１５０とは一体的に一つの部材として形成されている。具体的には、一つの平板の一方の側の先端が第二パイプ部材１３０に向かって湾曲しており、他方の側において、フィルター部材１５０を構成する上下方向に延びる複数のブロックが形成されている。
【００６７】
以上のような構造を有する本実施形態に係る電気掃除機用異物分離器２００は以下の効果を奏する。
【００６８】
第二パイプ部材１３０を介して吸引されたゴミは第二パイプ部材１３０を通過した後、容器３００の内部に収容される。容器３００の内部に収納されたゴミのうち、比較的軽いものは、電気掃除機の吸引力により、電気掃除機の内部に吸引されるが、比較的重いもの（例えば、小石や金属などの異物）は電気掃除機の吸引力によっても吸引されずに容器３００の内部にとどまる。この場合、従来の電気掃除機用異物分離器においては、電気掃除機の吸引力が大きい場合には、異物が電気掃除機の内部に吸引されることを回避することは不可能であった。これに対して、本実施形態に係る電気掃除機用異物分離器２００においては、電気掃除機と連結されている第一パイプ部材１２０と容器３００との間にはフィルター部材１５０が配置されているため、たとえ、異物が電気掃除機に吸引されたとしても、異物はフィルター部材１５０を通過することができず、結局、容器３００の中にとどまったままの状態になる。
【００６９】
このように、本実施形態に係る電気掃除機用異物分離器２００によれば、従来の電気掃除機用異物分離器によっては不可能であった異物（小石や金属などの比較的重いもの）の電気掃除機内部への吸引を防止することが可能である。
【００７０】
本実施形態に係る電気掃除機用異物分離器２００は上記の構造に限定されるものではなく、種々の改変が可能である。
【００７１】
また、本実施形態におけるフィルター部材１５０は鉛直方向に延びる複数のブロックから構成されているが、フィルター部材１５０の構造はブロックには限定されない。例えば、ブロックに代えて、メッシュ部材をフィルター部材１５０として用いることも可能である。
【００７２】
また、本実施形態に係る電気掃除機用異物分離器２００においては、ガイド部材１４０とフィルター部材１５０とは一体的に一つの部材として形成されているが、各々を別部材として形成することも可能である。
【符号の説明】
【００７３】
１００  本考案の第一の実施形態に係る電気掃除機用異物分離器
１１０  容器取り付け部
１２０  第一パイプ部材
１３０  第二パイプ部材
１４０  ガイド部材
１５０  フィルター部材
１６０  カバー
２００  本考案の第二の実施形態に係る電気掃除機用異物分離器
３００  容器
【図１３】
0003180921.tif 000003
【図１４】
0003180921.tif 000004
【図１５】
0003180921.tif 000005
【図１６】
0003180921.tif 000006
【図１】
0003180921.tif 000007
【図２】
0003180921.tif 000008
【図３】
0003180921.tif 000009
【図４】
0003180921.tif 000010
【図５】
0003180921.tif 000011
【図６】
0003180921.tif 000012
【図７】
0003180921.tif 000013
【図８】
0003180921.tif 000014
【図９】
0003180921.tif 000015
【図１０】
0003180921.tif 000016
【図１１】
0003180921.tif 000017
【図１２】
0003180921.tif 000018